(57)【要約】      （修正有）【課題】主に腹式呼吸に対応した、花粉・細菌・ウイルスによるアレルギー症状、感染症予防に必要なマスクに関するものである。吸気により一度体内に取り込み気管・肺・胃・腸等を巡り汚染した熱気を含んだ呼気をマスク内に吐き出し、再びその汚染した空気（ガス）を吸い込まぬようマスクの吸氣部・呼気部つまり、鼻腔と口唇の間に遮蔽幕（ビニール弁）帯状遮蔽壁等を設置、マスク着用時の顔のほてり、息苦しさからの解放を目的とする。【解決手段】ガーゼ等綿材、不織布材の一体射出成型法・縫製によりマスクの吸気部と呼気部を分別し、鼻腔部と口唇部の間に弁或いは横長円筒状遮蔽壁を設け、又、独立した取り外し可能な帯状鼻腔・口唇遮蔽壁を設置してなるマスクと併用する。【選択図】図１
2004337563.tif 000002
【特許請求の範囲】
【請求項１】
１，ノーズ・ブリッジ付きマスク・当てガーゼ・綿布・フィルター・ポリプロピレン不織布・ウーリーナイロン紐等、各種適材を用いたマスク本体。  ２，別途にマスク本体の横幅と同寸、細い約２センチメートルの帯状本体。帯状本体上部に横長のチーク・ブリッジを内包。防水ビニールにより帽子の鍔状防水性遮蔽幕と一体縫製の直径約２センチメートル、円筒状防水性遮蔽壁を中心線・両鼻翼から左右へ３センチメートルまで配置した縫製。それを両横え支える厚芯入り支え布。支え布をマスク本体両サイドへ、縫合又は、高周波ミシンで固着する仕様の１、マスク本体と２、帯状本体の併合、以上の組み合わせ構成からなる吸・呼気・分別マスク。
【発明の詳細な説明】
【０００１】
【発明の属する分野】
本発明は、マスク使用時の呼吸法及び吸気・呼気の分別に関するものである。
【０００２】
【従来の技術】
マスク使用に関して、高度な研究も行われており、用途に応じたものを、安心して用いることができるが、一方、呼吸器官機能の衰えた高齢者、高血圧患者などにはやや、窮屈で息苦しさ、顔のほてり、喉の渇き等の理由でインフルエンザ蔓延時にも着用しない人もある。
【０００３】
【発明が解決しようとする課題】
マスク使用時の感想は先ず、息苦しさ喉の渇き、顔のほてりをを挙げる。呼吸は鼻で吸って口から吐くのが、衛生的で、健康面でも大切なことはテレビ等の医師の話でも多く語られている。中国の太極拳やヨガでも呼吸が如何に大切かも教えてくれている。日本で今流行りのエアロビクスやジョギング他いろいろスポーツも盛んである。必ずどこのコーチも「吸って、吐いて」から始まる。然し、通常は、無意識のうちに鼻と口の両方で呼気も吸気も行っている。スポーツ・コーチは必ず、胸式呼吸ではなく、腹式呼吸を薦めている。又、医療面でも腹式呼吸法を薦めている。腹式呼吸法の効用は、横隔膜が上へ押し上げられ胃や腸の蠕動運動が活発になり。血流も良なり血圧も安定改善がみられると。特に肥満を抑制し便秘の人には好評であると。マスクを着用しても呼気と吸気がマスク内で交じり合い呼気につれて吐き出される熱気でも頭がボーとなったりする。医師の話で腹式呼吸ではなく又、口から空気を吸い続けると腹腔に溜まりいろいろのものが交じり合って、酸化し、異常発酵して、膨満感や腹痛、悪臭のガスを発生させる。又、他の医師の話は聞き過ごせない重大な問題があった。（何時も鼻と口を開けてで息をしている人には、花粉特に目に見えない細菌・ウイルス等は、口から進入して胃の酸にも死滅することなく腸まで侵入し、人体に悪疫をひろげたり、腸に根付いたりする脅威的症例もあると。やはり吸気は鼻からが無難である。通常、空気は鼻から吸いハウスダスト等汚物はある程度、鼻毛・鼻粘膜で濾過？し気管を通って肺にたっするのが正常で健康的である。従来からのものは使用時、呼気に混じって排出される熱気もマスク内にこもって熱さと息苦しさ、喉の渇きを助長する。高齢者・高血圧の人は重篤な事態も引き起こしかねないのである。
【０００４】
【課題を解決するための手段】
本発明は、マスク上部の鼻孔部分にのみ当てガーゼ（綿布・ポリプロピレン不織布・レーヨン不織布・防水性ビニール・ウーリーナイロン）を用い、別途、請求項１記載の帯状本体上部にはチーク・ブリッジを内包。鼻孔の下部と上唇部の間に直径約２センチメーチル、両鼻翼の横３センチメートル内に、防水性ビニールによりエア（呼気）遮蔽用の帽子の鍔状防水性遮蔽幕付き、円筒状防水性遮蔽壁を配置、その横の帯状本体・厚地芯の支え布をマスク両端に縫合・固着したことにより、鼻の高さにはサイズを段階的に設定すること又、当てガーゼを重ねることで対応する。此れにより、本発明になる吸・呼気・分別マスクは使用時の顔の熱さ、息苦しさ、喉の渇きなどを解消し、一度排出した自らの呼気を再び吸い込むことなく、新鮮で綺麗な空気を吸気できる。自らの排出した呼気は風通しの良いマスクの下部を通して散消。息苦しさや顔のほてり喉の渇きも解消、快適さを提供することにより上記課題を解決したものである。
【０００５】
【実施例】
本来の目的である花粉・インフルエンザ等の空気・飛沫感染を人に移さず、移されないための予防に供する発明である。本発明は、平成７・８年頃からの一連のマスク研究の結果の産物（アイディア）であり、意匠出願をした「アイマスクと連結したマスク」等が有ります。このたびのマスクは、本体と併合してなるものであり、又、呼吸法も主に、腹式呼吸に対応したものである。鼻で空気を吸い、口から吐き出す呼吸をするとき最大の効力が得られる。
【０００６】
自らの吐き出した呼気をマスク内で充満させないように、又、一度吐き出した呼気を再び気管・肺に送り込まないように綺麗な空気を吸い取り込むことが目標である。
【０００７】
【発明の効果】
本発明による吸・呼気・分別マスク着用により体内から吐き出す呼気を再び吸うことなく新しい空気をガーゼ、不織布で濾過しつつ吸うことが出来る。世の中排気ガスや、花粉、雑菌が溢れており、高齢者、いろいろな症状をもっている人。体力の無い人、風邪を引いてしまった人も他に蔓延しないようにするためにも他からの感染を防ぐためにも、手洗い、うがい、マスクは必需品であり、本発明と腹式呼吸法を取り入れることで更に病気予防の確実性を高めることが出来る。
【図面の簡単な説明】
【図１】本発明  吸・呼気・分別マスク背面で顔面に接する側の平面図である。
【図２】着用状態を示す立体透視図である。
【図３】帯状本体・マスク本体装着前の立体解明図である。
【図４】帯状本体図３の横断面図である。
【図５】吸・呼気・分別マスク素養時の外観図である。
【符号の説明】
Ａ  １  ・・・マスク本体
２  ・・・ノーズ・ブリッジ
３  ・・・ダーツ
４  ・・・帯状本体
Ｂ  ５  ・・・透視図
６  ・・・ガーゼ
７  ・・・帽子ぼ鍔状防水性遮蔽幕
Ｃ  ８  ・・・ノーズ・ブリッジ・帯状本体・鍔状防水性遮蔽幕・円筒状防水性遮蔽壁
Ｄ  ９  ・・・帯状本体断面図
Ｅ１０  ・・・吸・呼気・分別マスク
【図１】
2004337563.tif 000003
【図２】
2004337563.tif 000004
【図３】
2004337563.tif 000005
【図４】
2004337563.tif 000006
【図５】
2004337563.tif 000007
【手続補正書】
【提出日】平成15年8月16日(2003.8.16)
【手続補正１】
【補正対象書類名】明細書
【補正対象項目名】図５
【補正方法】変更
【補正の内容】
【図５】吸・呼気・分別マスク着用時の外観図である。